(57)【特許請求の範囲】
【請求項１】
開口部（４）にウィング（５）が枢着されたボックス本体（３）の開口縁部外面に取り付けられるケーシング（１２）と、
このケーシング（１２）内に前記ウィング（５）の開放を阻止するロック位置（Ｂ）からその開放を許容するアンロック位置（Ａ）まで出退自在となるように挿通されかつロック位置（Ｂ）へ付勢されているデッドボルト（１３）と、
前記デッドボルト（１３）の出退方向と交差する方向に移動自在とされると共に、前記デッドボルト（１３）側に向けて付勢されて該デッドボルト（１３）を予めアンロック位置（Ａ）に保持し、且つ、デッドボルト（１３）から離脱する方向に移動して該デッドボルト（１３）を出退自在とする保持部材（１５）と、
前記ボックス本体（３）に生じた過大な揺れに伴って前記保持部材（１５）に衝突し、該保持部材（１５）を前記デッドボルト（１３）から離脱する方向に移動させて該保持部材（１５）を前記デッドボルト（１３）から解除するオートロック手段（１６）とを備え、
前記デッドボルト（１３）には、前記保持部材（１５）との対向位置に、デッドボルト（１３）のロック位置（Ｂ）からアンロック位置（Ａ）への移動に伴って保持部材（１５）を前記デッドボルト（１３）から離脱する方向へ押し戻すテーパー面（３４）が形成されていることを特徴とするウィング付き収納ボックスのオートロック装置。
【請求項２】
ケーシング（１２）にデッドボルト（１３）の出退方向と交差する方向に延びる収納部（２９）が形成され、
保持部材（１５）は、先端部がデッドボルト（１３）に掛止するよう同ボルト（１３）側に付勢して前記収納部（２９）に挿通されたシャフトよりなり、
オートロック手段（１６）は、前記シャフトとともに収納部（２９）に挿通されかつ同シャフトに対してその軸心方向において遊びをもって套嵌された筒部材（３９）よりなる請求項１に記載のウィング付き収納ボックスのオートロック装置。
【請求項３】
前記オートロック手段（１６）は、前記シャフト（１５）と共に収納部（２９）に挿通されかつ同シャフト（１５）に対してその軸方向に移動可能に嵌装された開放断面をもった板部材（４０）よりなる請求項１に記載のウィング付き収納ボックスのオートロック装置。
【請求項４】
開口部（４）にウィング（５）が枢着されたボックス本体（３）の開口縁部外面に取り付けられるケーシング（１２）と、
このケーシング（１２）内に前記ウィング（５）の開放を阻止するロック位置（Ｂ）からその開放を許容するアンロック位置（Ａ）まで出退自在となるように挿通されかつロック位置（Ｂ）へ付勢されているデッドボルト（１３）と、
前記デッドボルト（１３）を予めアンロック位置（Ａ）に保持しておく保持部材（１５）と、
前記ボックス本体（３）に生じた過大な揺れに伴う慣性力を前記保持部材（１５）に作用させて同保持部材（１５）を前記デッドボルト（１３）から解除するオートロック手段（１６）と、
を備え、
ケーシング（１２）にデッドボルト（１３）の出退方向と交差する方向に延びる収納部（２９）が形成され、
保持部材（１５）は、先端部がデッドボルト（１３）に掛止するよう同ボルト（１３）側に付勢して前記収納部（２９）に挿通されたシャフトよりなり、
オートロック手段（１６）は、前記シャフトとともに収納部（２９）に挿通されかつ同シャフトに対してその軸心方向において遊びをもって套嵌された筒部材（３９）よりなることを特徴とするウィング付き収納ボックスのオートロック装置。
【請求項５】
開口部（４）にウィング（５）が枢着されたボックス本体（３）の開口縁部外面に取り付けられるケーシング（１２）と、
このケーシング（１２）内に前記ウィング（５）の開放を阻止するロック位置（Ｂ）からその開放を許容するアンロック位置（Ａ）まで出退自在となるように挿通されかつロック位置（Ｂ）へ付勢されているデッドボルト（１３）と、
前記デッドボルト（１３）を予めアンロック位置（Ａ）に保持しておく保持部材（１５）と、
前記ボックス本体（３）に生じた過大な揺れに伴う慣性力を前記保持部材（１５）に作用させて同保持部材（１５）を前記デッドボルト（１３）から解除するオートロック手段（１６）と、
を備え、
前記オートロック手段（１６）は、前記シャフト（１５）と共に収納部（２９）に挿通されかつ同シャフト（１５）に対してその軸方向に移動可能に嵌装された開放断面をもった板部材（４０）よりなることを特徴とするウィング付き収納ボックスのオートロック装置。
【請求項６】
ケーシング（１２）は下面開放の固定部（１７）と、該固定部（１７）の前端部にこれと直交して設けられた内面開放状のデッドボルト（１３）のガイド部（１８）と、前記固定部（１７）とガイド部（１８）の対向内側開口部（１７Ａ）（２３）を閉塞する着脱自在な蓋部材（１９）とを備え、
前記ケーシング（１２）の蓋部材（１９）が、固定部（１７）の開口部（１７Ａ）の一部を閉塞する蓋本体（２０）と、ガイド部（１８）の開口部（２３）及びこれに続く固定部（１７）の開口部（１７Ａ）の一部を閉塞する蓋本体（２０）とは別体のガイド蓋（２１）とからなり、該ガイド蓋（２１）が前記蓋本体（２０）方向に、少なくともデッドボルト（１３）の抜き出しを許容する量分の移動を可能とし、ガイド蓋（２１）の固定部（１７）への固定及び固定解除を外側から操作できるようになっている請求項１乃至請求項５の何れかに記載のウィング付き収納ボックスのオートロック装置。
【発明の詳細な説明】
【０００１】
【発明の属する技術分野】
本発明は、ウィング付き収納ボックスのオートロック装置に関する。
【０００２】
【従来の技術】
例えば、食器棚、本棚、タンス等の家具に代表されるウィング付きの収納ボックスでは、前面が開放されたボックス本体の開口部に扉（ウィング）が観音開き状に枢着されている。
この扉の縁部内面には、ボックス本体の天板等に設けたマグネットに対応する鉄片が取り付けられていて、扉をボックス本体に向かって閉めていくと同本体側のマグネットが前記鉄片を吸着し、これによって扉を閉鎖位置に保持するようにしている。
【０００３】
【発明が解決しようとする課題】
上記家具に代表されるウィング付きの収納ボックスでは、収納物品の出し入れを頻繁に行うため、一般に施錠装置を設ける場合が少なく、また、施錠装置を設けたとしてもユーザーがこれを余り利用しないことが多い。
このため、先の阪神大震災の経験からも判るように、大震度の地震等のため収納ボックスが大きく揺らされると、その揺れによってマグネットの吸着力のみで閉鎖されている扉が開いて食器等の収納物品が外に飛び出し、これによって収納物品が破損したり居住者に当たって負傷することがある。
【０００４】
本発明は、このような実情に鑑み、ボックス本体に生じた大きな揺れを検知してウィングを自動的にロックすることにより、収納物品が外へ飛び出すのを防止できるウィング付き収納ボックスのオートロック装置を提供することを第一の目的とする。
また、本発明は、そのようなオートロック装置を可及的にコンパクトにしかつ材料コストも低く抑えられるようにすることを第二の目的とする。
【０００５】
【課題を解決するための手段】
上記目的を達成するために、本発明は次の技術的手段を講じた。
すなわち、本発明に係るウィング付き収納ボックスのオートロック装置は、開口部にウィングが枢着されたボックス本体の開口縁部外面に取り付けられるケーシングと、このケーシング内に前記ウィングの開放を阻止するロック位置からその開放を許容するアンロック位置まで出退自在となるように挿通されかつロック位置へ付勢されているデッドボルトと、前記デッドボルトの出退方向と交差する方向に移動自在とされると共に、前記デッドボルト側に向けて付勢されて該デッドボルトを予めアンロック位置に保持し、且つ、デッドボルトから離脱する方向に移動して該デッドボルトを出退自在とする保持部材と、前記ボックス本体に生じた過大な揺れに伴って前記保持部材に衝突し、該保持部材を前記デッドボルトから離脱する方向に移動させて該保持部材を前記デッドボルトから解除するオートロック手段とを備え、前記デッドボルトには、前記保持部材との対向位置に、デッドボルトのロック位置からアンロック位置への移動に伴って保持部材を前記デッドボルトから離脱する方向へ押し戻すテーパー面が形成されている。
【０００６】
或いは、本発明に係るウィング付き収納ボックスのオートロック装置は、開口部にウィングが枢着されたボックス本体の開口縁部に取り付けられるケーシングと、このケーシング内に前記ウィングの開放を阻止するロック位置からその開放を許容するアンロック位置まで出退自在となるように挿通されかつロック位置へ付勢されているデッドボルトと、前記デッドボルトを予めアンロック位置に保持しておく保持部材と、前記ボックス本体に生じた過大な揺れに伴う慣性力を前記保持部材に作用させて同保持部材を前記デッドボルトから解除するオートロック手段と、を備えたものである。
【０００７】
この場合、特に第二の目的を達成するため、ケーシングにデッドボルトの出退方向と交差する方向に延びる収納部を形成し、保持部材を、先端部がデッドボルトに掛止するよう同ボルト側に付勢して前記収納部に挿通されたシャフトとし、オートロック手段を、前記シャフトとともに収納部に挿通されかつ同シャフトに対してその軸心方向において遊びをもって套嵌された筒部材より構成することが好ましい。
ボックス本体に大きな揺れが生じていない通常の場合は、デッドボルトが保持部材によって予めアンロック位置に保持されていて、このためウィングを自由に開閉できる。
【０００８】
一方、地震等によりボックス本体に過大な揺れが生じると、オートロック手段がその慣性力によって保持部材をデッドボルトから解除するので、デッドボルトがケーシングから飛び出してロック位置となりウィングの開放を自動的に阻止する。
なお、ケーシングは下面開放の固定部と、該固定部の前端部にこれと直交して設けられた内面開放状のデッドボルトのガイド部と、前記固定部とガイド部の対向内側開口部を閉塞する着脱自在な蓋部材とにより構成するのが好ましい。この場合、蓋部材を取外すことにより、長さの異なるデッドボルトを交換することができる。
【０００９】
また、ケーシングの蓋部材が、固定部の開口部の一部を閉塞する蓋本体と、ガイド部の開口部及びこれに続く固定部の開口部の一部を閉塞する蓋本体とは別体のガイド蓋とからなり、該蓋が前記蓋本体方向に、少なくともデッドボルトの抜き出しを許容する量分の移動を可能とし、ガイド蓋の固定部への固定及び固定解除を外側から操作できるように構成することができる。
このように、蓋部材を分割構成することによって、蓋本体を固定部に固着したままの状態で、前記ガイド蓋をケーシングに固着している固着具を、ケーシングから取り外し或いは緩めることにより、ガイド蓋をガイド部から離れる方向に移動させうるので、デッドボルトを容易に抜き出すことができる。したがって、収納ボックスの天板等の厚さに対応して適切な長さのデッドボルトと交換し、再びガイド蓋をガイド部側に移動させてその開口部を閉塞し固定することによって、デッドボルトをガイド部から抜き出せないようにすることができる。
【００１０】
また、前記オートロック手段は、前記シャフトと共に収納部に挿通されかつ同シャフトに対してその軸方向に移動可能に嵌装された開放断面をもった板部材により構成することができる。
【００１１】
【発明の実施の形態】
以下、図面に基づいて本発明の実施の形態を説明する。
図３は、本発明のオートロック装置１を採用した食器棚（収納ボックス）２を示しており、この食器棚２は、内部に食器が収納される前面が開放されたボックス本体３を備え、このボックス本体３の上部側の開口部４には左右一対の扉（ウィング）５が観音開き状に枢着されている。また、ボックス本体３の中央部には左右一対の引き出し６が、かつ、下部には引き戸７が設けられている。
【００１２】
扉５の縁部内面には、ボックス本体３の天板８等に設けたマグネットに対応する鉄片（図示せず）が取り付けられていて、ボックス本体３に向かって揺動された扉５の鉄片を本体３側のマグネットで吸着することにより、当該扉５を閉鎖位置に保持できるようになっている。
ボックス本体３の天板８には、地震等の揺れによって当該食器棚２が倒れるのを防止するワイヤー９の固定金具１０が固着され、このワイヤー９の先端は部屋の上隅に設けた掛止金具１１に引っ掛けられている。
【００１３】
ボックス本体３の天板８には、同じく地震等の揺れによって扉５が開くのを自動的に阻止する前記オートロック装置１が取り付けられている。
図１及び図２は、本発明の第１実施形態を示し、このオートロック装置１は、ボックス本体３の天板８の前縁部に取り付けられる全体形状がほぼＬ字形に形成されたケーシング１２と、このケーシング内に上下出退自在に挿通されたデッドボルト１３と、このデッドボルト１３を常時下方へ付勢する第一コイルバネ１４と、デッドボルト１３を予めケーシング１２内に保持しておく保持部材１５と、地震等に伴う過大な揺れを検知して保持部材１５をデッドボルト１３から解除するオートロック手段１６と、を備えている。
【００１４】
ケーシング１２は、天板８の上面に取り付けられる下面側が開放された固定部１７と、この固定部１７の前端部に同固定部１７と直交するように固着された断面Ｃ字状のガイド部１８と、これら固定部１７とガイド部１８の対向内面を閉塞する蓋部材１９とを備え、ガイド部１８が天板８の前端縁に接触して垂れ下がるように天板８の上面に配置されている。
ガイド部１８は、図１に示す取付状態においてその下端が扉５の上端よりもやや上方に位置する程度の長さを有し、このガイド部１８の下端開口から前記デッドボルト１３が上下動自在に挿通されている。
【００１５】
蓋部材１９は、固定部１７の下面側開口部１７Ａを閉塞する蓋本体２０と、この蓋本体２０の前端から下方に延設されたガイド蓋２１とからなり、蓋本体２０の四隅に設けた第一ネジ孔２２に挿通した図外の取付ネジによってケーシング１２に固定され、この際、ガイド蓋２１はガイド部１８の対向内側開口部である切り込み溝２３を閉塞する。
また、蓋本体２０とケーシング１２の固定部１７はともにその前部がやや拡幅されており、この拡幅部に、当該固定部１７を天板８にネジ止めするための第二ネジ孔２４が設けられている。
【００１６】
デッドボルト１３は、上端から中央部に延びる有底のバネ収納孔２５を備え、このバネ収納孔２５に収納した第一コイルバネ１４とともにガイド部１８に挿通されている。この第一コイルバネ１４の上端は当該ガイド部１８の上底壁２６に当接しており、このため、デッドボルト１３は第一コイルバネ１４によって常時下方へ付勢されている。デッドボルト１４の側面にはストッパー２７が突設され、このストッパー２７は前記ガイド蓋２１の内面中央に形成された上下方向のガイド溝２８に嵌合している。ガイド溝２８はガイド蓋２１の下端に至る手前で終わっており、このガイド溝２８の下端段部にストッパー２７を当接させることにより当該デッドボルト１３が抜け止めされている。
【００１７】
なお、デッドボルト１３はガイド部１８の内空長とほぼ同じ長さを有し、このため同ボルト１３がそのガイド部１８内にすべて納まっているときは（図１の実線）扉５の開放を許容するアンロック位置Ａとなる。また、ストッパー２７がガイド溝２８の下端段部に当接するまで突出したときは（図１の仮想線）、デッドボルト１３の下部が扉５の上端よりも下方に位置してその開放を阻止するロック位置Ｂとなる。
また、デッドボルト１３の下端部には、扉５が当たったときに傷が付くのを防止するゴムパッド４４が設けられている。
【００１８】
固定部１７には、図１における左右方向、すなわちデッドボルト１３の出退方向と直交する方向に延びる収納部２９が前記開口部１７Ａに連通するように形成されており、この収納部２９に前記保持部材１５が挿通されている。
保持部材１５は、先端に縮径された掛止ピン３０をかつ基端に拡径された頭部３１を有する段付きの細いシャフトよりなり、このシャフト１５の掛止ピン３０は、固定部１７の前端部に形成したＵ字溝３２を通過してガイド部１８に至っており、デッドボルト１３の上端部側面に形成した掛止凹部３３に嵌合する。なお、デッドボルト１３の上端縁には、同ボルト１３の上昇に伴って掛止ピン３０を後方へ押し戻すためのテーパー面３４が形成されている。
【００１９】
一方、図１に示すように、シャフト１５の頭部３１は収納部２９の後端側に連通するバネ収納溝３５に案内され、かつ、シャフト１５の掛止ピン３０はＵ字溝３２に嵌合したガイド蓋２１の上端部３６によって支持されていて、これにより、シャフト１５は収納部２９内でその軸心方向（図１の左右方向）に移動自在となっている。
また、バネ収納溝３５には、頭部３１をデッドボルト１３側（図１の右側）へ押し出す第二コイルバネ３７が介装されている。このため、シャフト１５は第二コイルバネ３７によって常時デッドボルト１３側へ付勢されてその掛止ピン３０を掛止凹部３３に嵌合させており、これによって当該デッドボルト１３を予めアンロック位置Ａに保持している。
【００２０】
前記オートロック手段１６は、シャフト１５とともに収納部２９に挿通されかつ同シャフト１５に対してその軸心方向において遊びをもって套嵌された筒部材３９よりなる。
すなわち、この筒部材３９は、外径が収納部２９よりもやや小さくかつ内径がシャフト１５の中間軸部３８とほぼ同じに形成された両端が開口した金属製の円筒パイプよりなり、筒部材３９の長さはシャフト１５の中間軸部３８よりも短くなっている。
【００２１】
このため、ボックス本体３が大きく揺れると、これに伴って当該筒部材３９がシャフト１５の中間軸部３８に沿って往復動するが、その揺れが地震等により生じた過大なものであるときは、筒部材３９がシャフト１５の頭部３１に強く衝突して第二コイルバネ３７に抗してシャフト１５を後方（図１の左側）へ変位させ、これによってシャフト１５の掛止ピン３０をデッドボルト１３の掛止凹部３３から離脱させ、その後、デッドボルト１３が第一コイルバネ１４によって下方に突出されてロック位置Ｂとなる。
【００２２】
上記第１実施形態のオートロック装置１によれば、第一コイルバネ１４に抗してデッドボルト１３を押し上げると、シャフト１５の掛止ピン３０がその上端のテーパー面３４を通過して掛止凹部３３に嵌合し、デッドボルト１３をアンロック位置Ａに保持し、ボックス本体に大きな揺れが生じていない通常の場合は扉５を自由に開閉することができる。
一方、地震等によりボックス本体３に過大な揺れが生じると、上記のように筒部材３９がシャフト１５の頭部３１に衝突したときの衝撃力によって掛止ピン３０による保持が解除され、デッドボルト１３が自動的に瞬時にロック位置Ｂとなるので、食器棚２内の食器が外部に飛び出すのを未然に防止できる。
【００２３】
なお、筒部材３９の断面形状は円筒状だけでなく角筒状であってもよい。
図４は、本発明の第２の実施形態を示しており、この実施形態では、オートロック手段１６を、上方が開放された断面コ字状の板部材４０により構成してあり、この板部材４０の断面内にシャフト１５の中間軸部３８が挿通されている。蓋本体２０の内面にはニードルベアリング４１が所定間隔おきに設けられ、このベアリング４１によって板部材４０の往復動をスムーズにしている。
このように、断面が開放された板部材４０をオートロック手段１６とした場合、ベアリング４１によって板部材４０の往復動を円滑にできるが、ベアリング４１を設ける分だけ材料コスト及び加工コストが高くなる。この点、上記第１の実施形態における筒部材３９は、シャフト１５の中間軸部３８に対して摺動するだけなので、その摺動面積が小さく、ベアリング４１を設けなくても往復動を円滑にできる。
【００２４】
図５は、本発明の第３の実施形態を示しており、この第３形態では、オートロック手段１６を、シャフト１５の中間軸部３８によって貫通された鋼製のボール４２により構成してあり、中間軸部３８にはボール４１の移動範囲を制限するための鍔部４３が形成されている。
この場合、オートロック手段１６が鋼製のボール４２よりなるので、ケーシング１２の固定部１７の長さは短くできるが、固定部１７の断面高さや幅が大きくなって肥大化し、却って重量化する。
【００２５】
この点、上記第１の実施形態における筒部材３９や第２の実施形態における板部材４０の場合は、いずれもシャフト１５の長手方向に沿って延設されているので、筒部材３９や板部材４０に必要なシャフト１５を動かせるだけの重量を確保しながら、ケーシング１２の固定部１７をスリムにできる。
図６〜図１０は、本発明の第４の実施形態を示しており、この第４形態では、ケーシング１２の蓋部材１９を構成する蓋本体２０とガイド蓋２１が別体とされており、蓋本体２０が固定部１７の下側開口部１７Ａの一部を閉塞し、ガイド蓋２１が側面視略Ｌ字形でガイド部１８の切り込み溝２３（開口部）及びこれに続く前記開口部１７Ａの一部を閉塞すると共に蓋本体２０方向即ち前記溝２３から抜け出す方向に移動可能となっている。
【００２６】
そして、前記ケーシング１２の固定部１７中央部に、前記天板８への取付部４５が両側に張出し状に設けられると共に取付ネジ挿通孔２４が夫々設けられ、前記固定部１７のガイド部１８寄りに、ガイド蓋２１の取付ネジ挿通長孔４６が、上側（外側）から貫通状にかつ収納部２９の長手方向に延びて設けられており、該孔４６から前記ガイド蓋２１の固定部閉塞側に設けたネジ孔４７に取付ネジ４８をねじ込んで、ケーシング１２にガイド蓋２１を着脱可能に固着でき、しかも、取付ネジ４８を緩めるだけで、ガイド蓋２１を移動可能とされている。
【００２７】
第４の実施形態における蓋本体２０は、平板状で複数箇所に取付部４９が幅方向に突出状に設けられ、該取付部４９に設けたネジ挿通孔５０を利用して、取付ネジ５１により着脱自在に固着されている。
また、第４の実施形態におけるガイド蓋２１は、固定部１７の開口部１７Ａに嵌合された部分２１Ａが、開口部１７Ａ内を前記中間軸部３８の軸線方向（蓋本体２０方向）に往復移動可能とされている。なお、ガイド蓋２１の往復移動量Ｓは、ガイド蓋２１に設けたガイド溝２８の溝深さと同じか又は若干大きくされており、これにより、デッドボルト１３のストッパー２７が前記ガイド溝２８のストッパー係止壁２８Ａに拘束されなくなり、デッドボルト１３をケーシング１２のガイド部１８から容易に抜き出すことができるようになっている。
【００２８】
第４の実施形態によれば、ガイド蓋２１は、取付ネジ４８を緩めることにより、ケーシング１２の固定部１７の取付ネジ挿通長孔４６を案内として蓋本体２０方向に移動させうるので、該ガイド蓋２１を距離Ｓだけ移動させると、ストッパー２７がガイド溝２８のストッパー係止壁２８Ａに拘束されなくなる。
そこで、オートロック手段１６を作動させることにより、筒部材３９がシャフト１５の頭部３１に衝突して掛止ピン３０による保持が解除され、デッドボルト１３が第１コイルバネ１４により下方に押し出され、前述のようにストッパー２７はフリーとなっているので、デッドボルト１３をガイド部１８から下方に抜き出すことができる。
【００２９】
そして、収納ボックス２の天板８の厚さに対応する長さのデッドボルト１３を、前記ガイド部１８に下方から挿入し、第１コイルバネ１４の弾力に抗して、さらに押し上げると、シャフト１５の掛止ピン３０が、デッドボルト１３の上端のテーパー面３４を通過して掛止凹部３３に係合し、デッドボルト１３をアンロック位置Ａに保持させた後、ガイド蓋２１をガイド溝２３に挿入すべく移動させ、取付ネジ４８を締付けることにより、デッドボルト１３の交換をガイド蓋２１を取り外すことなく容易かつ迅速に行うことができる。
【００３０】
なお、ガイド蓋２１は、その取付ネジ４８を抜き取って、ケーシング１２から取り外してから、デッドボルト１３の交換を行うことができる。
また、ケーシング１２を天板８に取付ける際に、ガイド蓋２１の移動量Ｓ分だけガイド部１８と天板８前端面との間に隙間を設けておくと、ケーシング１２を収納ボックス２の天板８に取付けた状態のままで、外側（上側）から取付ネジ４８を緩め、ガイド蓋２１を移動させることにより、上述のようにしてデッドボルト１３の交換ができる。
【００３１】
したがって、第４の実施形態では、デッドボルト１３の交換に際して、蓋部材１９を取り外さないでもよいので、第１乃至第３の実施形態のように一体物の蓋部材１９を取り外した時に、保持部材１５、オートロック手段１６、第２コイルバネ３７等が飛び出して自然に分解されるといった事態が生じることがなく、交換作業を容易にかつ能率的に行うことができる。
図１１、図１２は、本発明の第５の実施形態を示しており、この実施形態では、オートロック手段１６が、上方開放の断面コ字状の板部材４０からなり、板部材４０の断面内にシャフト１５の中間軸部３８が挿通されている。なお、該板部材４０は、前記ケーシング１２の収納部２９内で、その長手方向にスムーズに往復移動可能に構成されている。
【００３２】
また、第５の実施形態において、板部材４０の断面形状は、Ｕ字状、半円形等の開放断面とすることができ、さらに、板部材４０の収納の向きを上下逆（即ち下方開放）にして、収納することも可能である。
なお、上記各実施の形態において、片方開きの扉の場合には、オートロック装置１をボックス本体３の立側面に取り付けることもできる。
また、本発明は、食器棚２だけでなく、本棚、タンス等の家具の他、ウィングを備えた収納ボックスに広く採用できる。
【００３３】
【発明の効果】
以上説明したように、本発明によれば、地震等によりボックス本体に過大な揺れが生じると、オートロック手段が作動してデッドボルトによりウィングの開放を自動的に阻止するので、収納ボックス内の物品が外へ飛び出すのを未然に防止でき、震災による被害を可及的に小さくできる。
また、当該オートロック装置を可及的にコンパクトにでき、かつ、材料コストも低く抑えられる。
【００３４】
そして、構造が簡単、部品点数を少なくでき、デッドボルトを収納ボックスの天板等の厚さに対応した長さのものと交換可能である。
さらに、蓋部材が分割されているので、ガイド蓋を固定解除する（取付ネジを緩めるか又は取り外す）ことによって、デッドボルトを収納ボックスの天板等の厚さに対応した適切な長さのものと容易にかつ能率的に交換でき、しかも、ケーシングを収納ボックスに取付けた状態のままでも、デッドボルトの交換が可能である。
【００３５】
また、慣性力を適度にすることができると共に、製作及びケーシング収納部への組込みが容易である。
【図面の簡単な説明】
【図１】  本発明の第１実施形態を示すオートロック装置の縦断面図である。
【図２】  同装置の分解斜視図である。
【図３】  同装置が取り付けられた食器棚の斜視図である。
【図４】  本発明の第２実施形態特にオートロック手段の変形例を示す断面図である。
【図５】  本発明の第３実施形態特にオートロック手段の他の変形例を示す断面図である。
【図６】  本発明の第４実施形態を示すオートロック装置の縦断面図である。
【図７】  図６の上面図である。
【図８】  図７のＡ−Ａ線断面図である。
【図９】  図７のＢ−Ｂ線断面図である。
【図１０】  図６の下面図である。
【図１１】  本発明の第５実施形態特にオートロック手段のさらに他の変形例を示す断面図である。
【図１２】  図１１のＣ−Ｃ線断面図である。
【符号の説明】
１      オートロック装置
２      ボックス本体
４      開口部
５      ウィング（扉）
１２      ケーシング
１３      デッドボルト
１５      保持部材（シャフト）
１６      オートロック手段
１７      固定部
１７Ａ    開口部
１８      ガイド部
１９      蓋部材
２０      蓋本体
２１      ガイド蓋
２３      開口部
２９      収納部
３９      筒部材
【図１】
0003763596.tif 000002
【図２】
0003763596.tif 000003
【図３】
0003763596.tif 000004
【図４】
0003763596.tif 000005
【図５】
0003763596.tif 000006
【図６】
0003763596.tif 000007
【図７】
0003763596.tif 000008
【図８】
0003763596.tif 000009
【図９】
0003763596.tif 000010
【図１０】
0003763596.tif 000011
【図１１】
0003763596.tif 000012
【図１２】
0003763596.tif 000013